(57)【要約】【課題】吸気口に配設したフィルタ部材から筐体内への浸水を防止することができる筐体構造及び該筐体構造を備えたヒートポンプ式蒸気生成装置を提供する。【解決手段】筐体構造１０では、空気を吸入する正面吸気口４８と空気を排出する排気口５０とを有する筐体１４と、正面吸気口４８と排気口５０とに空気を流通させることで筐体１４の内部に収容した機器である圧縮機２１等を冷却する排気ファン５３とを備えた構成において、正面吸気口４８の内面には、フィルタ部材６０を支持するフィルタ支持部材６２が設けられ、フィルタ支持部材６２におけるフィルタ部材６０の底面６０ａを支持する支持面６２ｂから上方へ立ち上がった最下端縁部となる開口部６２ａの下端縁部６２ｃよりも、正面吸気口４８の下端面４８ａが低位置にある。【選択図】図９
2017044348.tif 000002
【特許請求の範囲】
【請求項１】
空気を吸入する吸気口と空気を排出する排気口とを有する筐体と、前記吸気口と前記排気口とに空気を流通させることで前記筐体の内部に収容した機器を冷却するファンとを備えた筐体構造であって、
前記吸気口の内面には、フィルタ部材を支持するフィルタ支持部材が設けられ、
前記フィルタ支持部材における前記フィルタ部材の底面を支持する支持面から上方へ立ち上がった最下端縁部よりも、前記吸気口の下端面が低位置にあることを特徴とする筐体構造。
【請求項２】
請求項１記載の筐体構造において、
前記フィルタ支持部材には、前記フィルタ部材を通過した空気を前記筐体の内部へと流通させる開口部が形成され、
前記フィルタ支持部材の前記開口部の下端縁部よりも、前記フィルタ支持部材の支持面及び前記吸気口の下端面が低位置にあることを特徴とする筐体構造。
【請求項３】
請求項１又は２記載の筐体構造において、
前記筐体の外面には、前記フィルタ支持部材で支持された前記フィルタ部材の外面側を支持すると共に、該フィルタ部材へと外気を流通させるカバー吸気口が形成されたカバー部材が設けられ、
前記フィルタ支持部材の前記最下端縁部よりも、前記カバー吸気口の下端縁部が低位置にあることを特徴とする筐体構造。
【請求項４】
請求項１〜３のいずれか１項に記載の筐体構造において、
前記機器の運転を制御する電装部品を収納した電装ボックスを、前記筐体の内面に固定された枠体に対して取り付けることで、該電装ボックスと前記筐体の内面との間に空隙を形成し、
前記吸気口は前記空隙に対して開口し、
前記フィルタ支持部材は前記空隙に配設されていることを特徴とする筐体構造。
【請求項５】
請求項４記載の筐体構造において、
前記フィルタ支持部材の下方には、前記枠体の外部へと延びた樋部材が設けられていることを特徴とする筐体構造。
【請求項６】
請求項１〜５のいずれか１項に記載の筐体構造において、
前記機器は、圧縮機、凝縮器、膨張機構及び蒸発器を環状に接続し、前記蒸発器で外部熱源から熱を回収するヒートポンプ部と、
前記凝縮器に被加熱水を供給し、該被加熱水を冷媒によって加熱して蒸気を生成する蒸気生成部とを含むことを特徴とする筐体構造。
【請求項７】
圧縮機、凝縮器、膨張機構及び蒸発器を環状に接続し、前記蒸発器で外部熱源から熱を回収するヒートポンプ部と、
前記凝縮器に被加熱水を供給し、該被加熱水を冷媒によって加熱して蒸気を生成する蒸気生成部と、
前記ヒートポンプ部及び前記蒸気生成部を内部に収容する筐体と、
を備えるヒートポンプ式蒸気生成装置であって、
前記ヒートポンプ部及び前記蒸気生成部の運転を制御する電装部品を収納した電装ボックスを、前記筐体の正面壁の内面に取り付けることで前記筐体内に設置し、
前記電装ボックスは、前記筐体の正面壁に設けられた吸気口を介して外気を内部に取り込むボックス吸気口と、該ボックス吸気口から内部に取り込んだ空気を該電装ボックス外へと排出するファンとを有し、
前記筐体の正面壁の内面には、前記吸気口を通過する空気を除塵するフィルタ部材を支持すると共に、該フィルタ部材を通過した空気を前記ボックス吸気口へと流通させる開口部が形成されたフィルタ支持部材が設けられ、
前記フィルタ支持部材の前記開口部の下端縁部よりも、前記フィルタ支持部材における前記フィルタ部材の底面を支持する支持面及び前記吸気口の下端面が低位置にあることを特徴とするヒートポンプ式蒸気生成装置。
【発明の詳細な説明】
【技術分野】
【０００１】
空気を吸入する吸気口にフィルタ部材を配設した筐体の筐体構造及び該筐体構造を備えたヒートポンプ式蒸気生成装置に関する。
【背景技術】
【０００２】
一般にヒートポンプ装置や冷凍装置等の各種機器を収容する筐体には、収容した機器の冷却のための空気を吸入し排出する吸気口及び排気口が設けられている（例えば、特許文献１参照）。この種の機器には制御用の電装部品も付設されるため、通常、このような電装部品も機器と共に筐体内に収容される。
【先行技術文献】
【特許文献】
【０００３】
【特許文献１】特開２００９−８２８４号公報
【発明の概要】
【発明が解決しようとする課題】
【０００４】
ところで、上記のように機器とその制御用の電装部品とを１つの筐体内に収容した装置を屋外等に設置する場合には、筐体の外面に設けた吸気口や排気口から砂や塵等が入り込む恐れがある。そこで、従来より筐体の吸気口に除塵用のフィルタ部材を配設した構成が一般的に用いられている。
【０００５】
ところが、吸気口にフィルタ部材を設けた構成では、このフィルタ部材に雨水等が浸透した場合、浸透した水が筐体内部へと次第に溢れ出してしまうことがある。特に吸気口は冷却対象となる電装部品等の近傍に設置されることも多く、フィルタ部材に浸透した水を再び筐体外へと円滑に排水できる構成が求められている。
【０００６】
本発明は、上記従来技術の課題を考慮してなされたものであり、吸気口に配設したフィルタ部材から筐体内への浸水を防止することができる筐体構造及び該筐体構造を備えたヒートポンプ式蒸気生成装置を提供することを目的とする。
【課題を解決するための手段】
【０００７】
本発明に係る筐体構造は、空気を吸入する吸気口と空気を排出する排気口とを有する筐体と、前記吸気口と前記排気口とに空気を流通させることで前記筐体の内部に収容した機器を冷却するファンとを備えた筐体構造であって、前記吸気口の内面には、フィルタ部材を支持するフィルタ支持部材が設けられ、前記フィルタ支持部材における前記フィルタ部材の底面を支持する支持面から上方へ立ち上がった最下端縁部よりも、前記吸気口の下端面が低位置にあることを特徴とする。
【０００８】
また、本発明に係るヒートポンプ式蒸気生成装置は、圧縮機、凝縮器、膨張機構及び蒸発器を環状に接続し、前記蒸発器で外部熱源から熱を回収するヒートポンプ部と、前記凝縮器に被加熱水を供給し、該被加熱水を冷媒によって加熱して蒸気を生成する蒸気生成部と、前記ヒートポンプ部及び前記蒸気生成部を内部に収容する筐体とを備えるヒートポンプ式蒸気生成装置であって、前記ヒートポンプ部及び前記蒸気生成部の運転を制御する電装部品を収納した電装ボックスを、前記筐体の正面壁の内面に取り付けることで前記筐体内に設置し、前記電装ボックスは、前記筐体の正面壁に設けられた吸気口を介して外気を内部に取り込むボックス吸気口と、該ボックス吸気口から内部に取り込んだ空気を該電装ボックス外へと排出するファンとを有し、前記筐体の正面壁の内面には、前記吸気口を通過する空気を除塵するフィルタ部材を支持すると共に、該フィルタ部材を通過した空気を前記ボックス吸気口へと流通させる開口部が形成されたフィルタ支持部材が設けられ、前記フィルタ支持部材の前記開口部の下端縁部よりも、前記フィルタ支持部材における前記フィルタ部材の底面を支持する支持面及び前記吸気口の下端面が低位置にあることを特徴とする。
【０００９】
このような構成によれば、フィルタ部材の下部において、その底面を支持するフィルタ支持部材の支持面から上方へ立ち上がった最下端縁部（開口部の下端縁部）よりも吸気口の下端面が低位置にある。このため、フィルタ部材に雨水等が浸透した場合であっても、この浸透した水はフィルタ部材の内部を下方へと流れつつ、前記最下端縁部よりも低位置にある吸気口の下端面を通って筐体外へと排水される。これにより、フィルタ部材に浸透した水が筐体内へと浸水することを防止できる。
【００１０】
前記フィルタ支持部材には、前記フィルタ部材を通過した空気を前記筐体の内部へと流通させる開口部が形成され、前記フィルタ支持部材の前記開口部の下端縁部よりも、前記フィルタ支持部材の支持面及び前記吸気口の下端面が低位置にある構成としてもよい。そうすると、フィルタ部材を通過した空気を開口部を通して筐体内へと円滑に流入させることができる。しかも開口部の下端縁部よりもフィルタ支持部材の支持面及び吸気口の下端面が低位置にあるため、フィルタ部材に浸透した水が開口部から筐体内へと溢れ出すことを防止できる。
【００１１】
前記筐体の外面には、前記フィルタ支持部材で支持された前記フィルタ部材の外面側を支持すると共に、該フィルタ部材へと外気を流通させるカバー吸気口が形成されたカバー部材が設けられ、前記フィルタ支持部材の前記最下端縁部よりも、前記カバー吸気口の下端縁部が低位置にある構成としてもよい。そうすると、フィルタ部材に浸透した水をカバー吸気口を介して円滑に筐体外へと排水することができる。
【００１２】
前記機器の運転を制御する電装部品を収納した電装ボックスを、前記筐体の内面に固定された枠体に対して取り付けることで、該電装ボックスと前記筐体の内面との間に空隙を形成し、前記吸気口は前記空隙に対して開口し、前記フィルタ支持部材は前記空隙に配設された構成としてもよい。そうすると、吸気口から吸入した空気によって電装ボックス内の電装部品を効率的に冷却することができる。しかも、吸気口のフィルタ部材に浸透した水が万一筐体外へと円滑に排水されず筐体内へと溢れ出した場合であっても、この溢れ出した水は空隙に流入するため、電装ボックスへの浸水を可及的に回避できる。
【００１３】
前記フィルタ支持部材の下方には、前記枠体の外部へと延びた樋部材が設けられていてもよい。そうすると、フィルタ部材を通して空隙へと流入した水を樋部材を介して枠体の外部へと円滑に排水することができる。
【００１４】
前記機器は、圧縮機、凝縮器、膨張機構及び蒸発器を環状に接続し、前記蒸発器で外部熱源から熱を回収するヒートポンプ部と、前記凝縮器に被加熱水を供給し、該被加熱水を冷媒によって加熱して蒸気を生成する蒸気生成部とを含む構成であってもよい。
【発明の効果】
【００１５】
本発明によれば、吸気口のフィルタ部材に雨水等が浸透した場合であっても、この浸透した水はフィルタ部材の内部を下方へと流れつつ、前記最下端縁部よりも低位置にある吸気口の下端面を通って筐体外へと排水される。これにより、フィルタ部材に浸透した水が筐体内へと浸水することを防止できる。
【図面の簡単な説明】
【００１６】
【図１】本発明の一実施形態に係る筐体構造を備えたヒートポンプ式蒸気生成装置の外観構造を示す斜視図である。
【図２】図１に示すヒートポンプ式蒸気生成装置の回路構造を模式的に示す構成図である。
【図３】図１に示す筐体の内部構造を模式的に示す側面断面図である。
【図４】扉及び電装ボックスを正面側から見た分解斜視図である。
【図５】扉及び電装ボックスを背面側から見た分解斜視図である。
【図６】正面吸気口に配設されるフィルタ部材の取付構造を示す分解斜視図である。
【図７】扉及び電装ボックスの正面吸気口付近を拡大した側面断面図である。
【図８】図７中の丸印ＶＩＩＩで囲った部分の拡大図である。
【図９】図７中の丸印ＩＸで囲った部分の拡大図である。
【発明を実施するための形態】
【００１７】
以下、本発明に係る筐体構造について、この筐体構造を備えたヒートポンプ式蒸気生成装置を例示して好適な実施の形態を挙げ、添付の図面を参照しながら詳細に説明する。
【００１８】
図１は、本発明の一実施形態に係る筐体構造１０を備えたヒートポンプ式蒸気生成装置１２の外観構造を示す斜視図であり、図２は、図１に示すヒートポンプ式蒸気生成装置１２の回路構造を模式的に示す構成図である。本実施形態では、工場排水等の温水から回収した排熱を利用して水蒸気を生成し、生成した水蒸気を乾燥装置や殺菌装置等の外部の蒸気利用設備に送るヒートポンプ式蒸気生成装置１２の筐体１４に筐体構造１０を適用した構成を例示するが、本発明はヒートポンプ式蒸気生成装置１２以外、例えば排熱回収型ではないヒートポンプ装置や冷凍装置等、各種の機器を収容する筐体に適用可能である。
【００１９】
先ず、ヒートポンプ式蒸気生成装置１２の回路構造の構成例について説明する。
【００２０】
図２に示すように、ヒートポンプ式蒸気生成装置１２は、水を蒸発させて水蒸気を生成し、外部へと送り出す蒸気生成部１６と、温水供給部１７によって供給される温水（熱源温水）から熱を回収し、この熱を蒸気生成部１６での蒸気生成のための熱源として供給するヒートポンプ部１８と、システムの制御を行う制御部２０とを備える。
【００２１】
ヒートポンプ部１８は、冷媒を圧縮する圧縮機２１と、圧縮機２１で圧縮された冷媒を凝縮させる凝縮器２２と、凝縮器２２を出た冷媒を減圧する膨張機構２４と、温水から熱を回収して冷媒を蒸発させる蒸発器２６とを環状に接続し、冷媒を循環させる冷凍サイクル装置である。本実施形態では、凝縮器２２の出口側と膨張機構２４の入口側との間に給水を予備加熱する加熱器２８を接続している。膨張機構２４は、例えば電子膨張弁であり、制御部２０の制御下に開度を調整可能である。
【００２２】
圧縮機２１で圧縮されて高温高圧となった冷媒は、凝縮器２２で蒸気生成部１６を循環する水と熱交換して冷却され凝縮する。凝縮器２２を出た冷媒は、加熱器２８で給水経路３０を流れる水を予熱してさらに冷却された後、膨張機構２４で断熱膨張され、蒸発器２６で温水供給部１７を流れる温水から吸熱して蒸発して圧縮機２１に戻る。圧縮機２１は、制御部２０の制御下に、その吸入側や吐出側の冷媒の圧力及び温度に基づきインバータを介してその運転回転数が制御される。
【００２３】
蒸気生成部１６は、ヒートポンプ部１８を循環する冷媒を熱源として水を蒸発させて蒸気を生成する凝縮器２２と、凝縮器２２で生成される水蒸気と水を含む気液二相流を蒸気と水とに分離する水蒸気分離器３１と、水蒸気分離器３１で分離された蒸気を外部の蒸気利用設備へと送り出す送出経路３２と、水蒸気分離器３１で分離された水を給水経路３０から供給される被加熱水と合流させて凝縮器２２に導入する水循環経路３４と、凝縮器２２からの気液二相流を水蒸気分離器３１へと導く蒸気経路３６とを有する。
【００２４】
水蒸気分離器３１は、鉛直方向に沿った円筒状容器で構成され、下端壁に接続された水循環経路３４に接続された給水経路３０から水が給水補給されることで容器内部に水を貯留する。給水経路３０は、図示しない水道管や水タンクからの水（被加熱水）を給水ポンプ３７によって水循環経路３４まで導入する。給水ポンプ３７は制御部２０によって運転制御される。水循環経路３４は、水蒸気分離器３１の下端壁から凝縮器２２までを連通する経路である。蒸気経路３６は、凝縮器２２から水蒸気分離器３１の上部側壁までを連通し、気液二相流が流通する経路である。
【００２５】
送出経路３２は、水蒸気分離器３１の上端壁に接続され、蒸気経路３６から当該水蒸気分離器３１内に供給され、ここで水が分離された後の蒸気を外部に送り出す経路である。送出経路３２には、制御部２０の制御下にその開度が適宜調整されることにより、当該ヒートポンプ式蒸気生成装置１２から外部に送り出される蒸気の流量や圧力を制御する圧力調整弁３８が設けられている。
【００２６】
このような蒸気生成部１６では、水蒸気分離器３１の水面と凝縮器２２の水面との高低差により、水蒸気分離器３１から凝縮器２２へと水循環経路３４を介して水が供給されると共に、凝縮器２２で生成された水蒸気が蒸気経路３６から水蒸気分離器３１を介して送出経路３２へと送り出されるサーモサイフォン回路が形成される。その結果、水循環経路３４、蒸気経路３６及び水蒸気分離器３１で形成される水循環系統内に循環ポンプ等の動力源を設けることなく、水を循環させることができる。
【００２７】
温水供給部１７は、蒸発器２６に温水を供給する温水供給経路１７ａと、蒸発器２６から温水を排出する温水排出経路１７ｂとを有する。温水供給経路１７ａには、外部の温水タンク等の温水供給源から供給される温水を所定の流量で送水する図示しない温水ポンプが設けられる。
【００２８】
次に、筐体１４に適用した筐体構造１０について説明する。
【００２９】
図３は、図１に示す筐体１４の内部構造を模式的に示す側面断面図である。
【００３０】
図１及び図３に示すように、筐体１４は、脚部３９を介して地面や床面上に設置される箱状構造であり、正面に設けられた開口を扉４０によって開閉可能である一方、正面以外の５面（上面、底面、背面、左右側面）がパネル４２によって閉塞されている。筐体１４の内部には、蒸気生成部１６、温水供給部１７及びヒートポンプ部１８を構成する各機器や配管等が収容されている。例えば圧縮機２１及び凝縮器２２は筐体１４の底面に設置され、蒸発器２６、加熱器２８及び水蒸気分離器３１は筐体１４内で高位置に梁材等を用いて設置される。
【００３１】
筐体１４の正面壁となる扉４０には、操作者が当該ヒートポンプ式蒸気生成装置１２の制御部２０に対する各種設定や運転指令等を行う際に操作する操作盤４４が設けられている。また、扉４０の内面には、制御部２０を構成する電装部品４５を収納した電装ボックス４６が取り付けられている。すなわち、電装ボックス４６は筐体１４の内部に設置されているが、電装部品４５は電装ボックス４６の壁面によって圧縮機２１等の他の機器と隔てられている。
【００３２】
筐体１４では、その正面壁となる扉４０の略中央に外部の空気を吸入する正面吸気口（吸気口）４８が設けられ、筐体１４の背面壁となるパネル４２の下部に外部の空気を吸入する背面吸気口４９が設けられ、筐体１４の背面壁となるパネル４２の上部に外部へと空気を排出する排気口５０が設けられている。背面吸気口４９の近傍には、該背面吸気口４９から外気を吸入するための吸気ファン５２が設けられている。排気口５０の近傍には、該排気口５０から外気を排出するための排気ファン（ファン）５３が設けられている。排気口５０の外面側には庇部材５１が設けられており、排気口５０から筐体１４内への雨水等の浸入が防止されている。
【００３３】
正面吸気口４８は、扉４０の内面と電装ボックス４６との間に形成された空隙であるダクト領域Ｄを介して電装ボックス４６内へと外気を取り入れる吸気口である。電装ボックス４６の背面上部には筐体１４内に開口するボックス排気口５４が設けられている。ボックス排気口５４の近傍には、正面吸気口４８からダクト領域Ｄ及び電装ボックス４６内へと外気を吸入し、該ボックス排気口５４から筐体１４内へと排出するボックスファン５５が設けられている。
【００３４】
図４は、扉４０及び電装ボックス４６を正面側から見た分解斜視図であり、図５は、扉４０及び電装ボックス４６を背面側から見た分解斜視図である。
【００３５】
図５に示すように、扉４０の内面には、電装ボックス４６の外形に対応した矩形枠形状を有する枠体５６がねじ止め固定されている。電装ボックス４６は、枠体５６を介して扉４０に取り付けられることで、その正面壁４６ａと扉４０の内面との間に枠体５６の深さ分の空隙（ダクト領域Ｄ）を形成する。ダクト領域Ｄの上下左右は枠体５６によって閉塞されている。
【００３６】
図４に示すように、電装ボックス４６の正面壁４６ａには、上下方向に沿って複数（図４では３個）のボックス吸気口５８が開口形成されている。さらに、正面壁４６ａの適宜箇所には小径の細孔５９が多数形成されている。ボックス吸気口５８及び細孔５９はダクト領域Ｄに開口することで、正面吸気口４８からダクト領域Ｄに吸入された外気を電装ボックス４６内へと吸入する。本実施形態では、３個のボックス吸気口５８のうちの最下部で最も大きく開口したボックス吸気口５８の内側に、電装ボックス４６の電装部品４５のうちで最も発熱量の大きなインバータ（電装部品４５ａ）を配置している。また、操作盤４４の裏側に突出した電装部品４５ｂは、ダクト領域Ｄに配設される（図３及び図５参照）。
【００３７】
図６は、正面吸気口４８に配設されるフィルタ部材６０の取付構造を示す分解斜視図であり、図７は、扉４０及び電装ボックス４６の正面吸気口４８付近を拡大した側面断面図である。
【００３８】
図６及び図７に示すように、正面吸気口４８には防塵用のフィルタ部材６０が配設されている。フィルタ部材６０は、その背面側が正面吸気口４８（扉４０）の内面に取り付けられたフィルタ支持部材６２によって支持され、その正面側がカバー部材６４によって支持されることで正面吸気口４８を覆うように設けられる。
【００３９】
フィルタ支持部材６２は、扉４０の内面から背面側へと多少膨出した形状を有し、フィルタ部材６０を通過した空気をダクト領域Ｄへと流通させる開口部６２ａを背面側に有する格子枠状部材である（図６参照）。フィルタ支持部材６２はフィルタ部材６０を支持可能な構成であればよく、例えば１つの大きな開口部を有してフィルタ部材６０の周縁部を保持する枠状部材やメッシュ状部材等であってもよい。また、背面側に開口部６２ａを持たず、上面側に開口部を有してこの上面側の開口部からフィルタ部材６０を通過した空気をダクト領域Ｄへと流通させる構成等としてもよい。
【００４０】
カバー部材６４は、板厚方向に空気を流通可能な複数の開口であるカバー吸気口６４ａ（図８参照）が形成された金属板であり、扉４０の外面にねじ止め固定される。各カバー吸気口６４ａの外面側には、雨水等の浸入を防止するための庇状部６４ｂがそれぞれ膨出形成されている。なお、筐体１４の背面吸気口４９にもカバー部材６４と同様な庇状部６４ｂを持ったカバー部材が装着されている。
【００４１】
図８は、図７中の丸印ＶＩＩＩで囲った部分の拡大図であり、図９は、図７中の丸印ＩＸで囲った部分の拡大図である。
【００４２】
図６及び図８に示すように、フィルタ部材６０は、その上縁部及び左右の側縁部の３辺が扉４０の内面とフィルタ支持部材６２との間に形成された凹溝６５に挿入配置される。これにより、フィルタ部材６０の取付時、フィルタ支持部材６２の正面側でフィルタ部材６０の上記３辺を保持することができるため、その外面側へのカバー部材６４の取付作業が容易となる。
【００４３】
一方、図６及び図９に示すように、フィルタ部材６０の下縁部はその底面６０ａがフィルタ支持部材６２の底面である支持面６２ｂに載置される。この際、図９に示すように、フィルタ支持部材６２の支持面６２ｂの背面側から上方へと立ち上がった最下端縁部となる開口部６２ａの下端縁部６２ｃよりも、正面吸気口４８の下端面４８ａが低位置にある。また、フィルタ支持部材６２では、支持面６２ｂが開口部６２ａの下端縁部６２ｃよりも低位置にある。さらに、フィルタ支持部材６２の開口部６２ａの下端縁部６２ｃよりも、カバー部材６４の最下部に設けられたカバー吸気口６４ａの下端縁部６４ｃが低位置にある。
【００４４】
なお、本実施形態の場合は、図９に示すように、フィルタ支持部材６２の支持面６２ｂとカバー部材６４のカバー吸気口６４ａの下端縁部６４ｃが略同一高さに設定され、正面吸気口４８の下端面４８ａがこれら支持面６２ｂ及びカバー吸気口６４ａよりも僅かに低位置とされている。但し、これらの位置関係は、開口部６２ａの下端縁部６２ｃが下端縁部６２ｃ，６４ｃ及び下端面４８ａよりも高位置にある限り変更されてもよい。
【００４５】
図９に示すように、フィルタ支持部材６２の下方には、断面Ｌ字状に形成され、扉４０の内面との間で凹状溝を形成する樋部材６６が設けられている。図５に示すように、樋部材６６は、扉４０の内面でフィルタ部材６０の下方を左右方向に亘って延在しており、扉４０の筐体１４に対する開閉軸となるヒンジ６８側（吊元側）から戸先側に向かって次第に下方に傾斜している。樋部材６６は、フィルタ部材６０を透過して開口部６２ａからダクト領域Ｄに溢れ出した雨水等を枠体５６（ダクト領域Ｄ）の外側へと排水するものである。従って、樋部材６６の最も下方に位置した先端は、枠体５６の側面を貫通している。この樋部材６６は、枠体５６の左右若しくは下方向の任意の方向へ貫通させてもよい。
【００４６】
このようなヒートポンプ式蒸気生成装置１２では、その運転時に吸気ファン５２、ボックスファン５５及び排気ファン５３が駆動される。これにより、図３に示すように、吸気ファン５２によって背面吸気口４９から筐体１４内に吸入された空気Ａ１は、圧縮機２１及びその駆動用のモータを冷却しつつ、電装ボックス４６の背面壁４６ｂに沿って筐体１４内を上昇する。また、ボックスファン５５によって正面吸気口４８から吸入される空気Ａ２は、カバー部材６４のカバー吸気口６４ａからフィルタ部材６０を通過し、フィルタ支持部材６２の開口部６２ａを通ってダクト領域Ｄに流入する。このダクト領域Ｄに流入した空気Ａ２はダクト領域Ｄを上昇しつつ、一部が電装ボックス４６の正面壁４６ａに形成されたボックス吸気口５８及び細孔５９から電装ボックス４６内へと流入し、電装部品４５（４５ａ）を冷却し、ダクト領域Ｄを上昇して電装部品４５ｂを冷却してから電装ボックス４６内へと流入した空気Ａ２と共にボックス排気口５４から筐体１４内へと排出される。そして、筐体１４内を上昇する空気Ａ１と、電装ボックス４６内を冷却した空気Ａ２とは、筐体１４の上部で合流し、排気口５０から筐体１４外へと排出される。
【００４７】
この場合、本実施形態に係る筐体構造１０では、空気を吸入する正面吸気口４８と空気を排出する排気口５０とを有する筐体１４と、正面吸気口４８と排気口５０とに空気を流通させることで筐体１４の内部に収容した機器である圧縮機２１等を冷却する排気ファン５３とを備えた構成において、正面吸気口４８の内面には、フィルタ部材６０を支持するフィルタ支持部材６２が設けられ、フィルタ支持部材６２におけるフィルタ部材６０の底面６０ａを支持する支持面６２ｂから上方へ立ち上がった最下端縁部（上記では開口部６２ａの下端縁部６２ｃ）よりも、正面吸気口４８の下端面４８ａが低位置にある。
【００４８】
このように当該筐体構造１０ではフィルタ部材６０の下部において、その底面６０ａを支持するフィルタ支持部材６２の支持面６２ｂから上方へ立ち上がった最下端縁部（下端縁部６２ｃ）よりも正面吸気口４８の下端面４８ａが低位置にある。このため、フィルタ部材６０に雨水等が浸透した場合であっても、この浸透した水Ｗ１はフィルタ部材６０の内部を下方へと流れつつ、下端縁部６２ｃよりも低位置にある正面吸気口４８の下端面４８ａから筐体１４外へと排水される（図９参照）。これにより、フィルタ部材６０に浸透した水が筐体１４内へと浸水することを防止できる。
【００４９】
当該筐体構造１０では、フィルタ支持部材６２にはフィルタ部材６０を通過した空気Ａ２を筐体１４の内部へと流通させる開口部６２ａが形成され、フィルタ支持部材６２の開口部６２ａの下端縁部６２ｃよりも、フィルタ支持部材６２の支持面６２ｂ及び正面吸気口４８の下端面４８ａが低位置にある。これにより、フィルタ部材６０を通過した空気Ａ２を開口部６２ａを通して筐体１４内へと円滑に流入させることができる。しかも開口部６２ａの下端縁部６２ｃよりもフィルタ支持部材６２の支持面６２ｂ及び正面吸気口４８の下端面４８ａが低位置にあるため、フィルタ部材６０に浸透した水が開口部６２ａから筐体１４内へと溢れ出すことを防止できる。
【００５０】
当該筐体構造１０では、筐体１４の外面には、フィルタ支持部材６２で支持されたフィルタ部材６０の外面側を支持すると共に、フィルタ部材６０へと外気を流通させるカバー吸気口６４ａが形成されたカバー部材６４が設けられ、フィルタ支持部材６２の最下端縁部よりも、カバー吸気口６４ａの下端縁部６４ｃが低位置にある。これにより、フィルタ部材６０に浸透した水をカバー吸気口６４ａを介して円滑に筐体１４外へと排水することができる。
【００５１】
当該筐体構造１０では、筐体１４内に収容された圧縮機２１等の各機器の運転を制御する電装部品４５（４５ａ，４５ｂ）を収納した電装ボックス４６を、筐体１４の内面に固定された枠体５６に対して取り付けることで、電装ボックス４６と筐体１４の内面との間に空隙（ダクト領域Ｄ）を形成し、正面吸気口４８はこの空隙に対して開口し、フィルタ支持部材６２はこの空隙に配設されている。これにより、正面吸気口４８から吸入した空気Ａ２によって電装ボックス４６内の電装部品４５を効率的に冷却することができる。しかも、正面吸気口４８のフィルタ部材６０に浸透した水が万一筐体１４外へと円滑に排水されず筐体１４内へと溢れ出した場合であっても、この溢れ出した水は空隙（ダクト領域Ｄ）に流入するため、電装ボックス４６への浸水を可及的に回避できる。しかも、正面吸気口４８から電装ボックス４６へと流入する空気Ａ２が流通するダクト領域Ｄは、その周囲が扉４０の内面と電装ボックス４６の正面壁４６ａと枠体５６とによって囲まれているため、圧縮機２１等から発せられた筐体１４内の熱気が電装ボックス４６内に吸入されることが防止されている。
【００５２】
また、フィルタ支持部材６２の下方には、枠体５６の外部へと延びた樋部材６６が設けられているため、フィルタ部材６０を通して空隙（ダクト領域Ｄ）へと流入した水Ｗ２は、樋部材６６を介して枠体５６（ダクト領域Ｄ）の外部へと円滑に排水される（図９参照）。この際、樋部材６６は扉４０の開閉軸となるヒンジ６８側（吊元側）から戸先側に向かって次第に下方に傾斜している。すなわち、電装ボックス４６から筐体１４内の圧縮機２１等の各機器への配線ケーブルはヒンジ６８側を通って配線されている。そこで、樋部材６６からの排水をヒンジ６８側の配線ケーブル側とは反対側に排出することで、排出された水が配線ケーブルにかかることが防止される。
【００５３】
なお、本発明は、上記した実施形態に限定されるものではなく、本発明の主旨を逸脱しない範囲で自由に変更できることは勿論である。
【符号の説明】
【００５４】
１０  筐体構造
１２  ヒートポンプ式蒸気生成装置
１４  筐体
１６  蒸気生成部
１７  温水供給部
１８  ヒートポンプ部
２０  制御部
２１  圧縮機
２２  凝縮器
２４  膨張機構
２６  蒸発器
２８  加熱器
３１  水蒸気分離器
４０  扉
４２  パネル
４４  操作盤
４５，４５ａ，４５ｂ  電装部品
４６  電装ボックス
４８  正面吸気口
４８ａ  下端面
４９  背面吸気口
５０  排気口
５２  吸気ファン
５３  排気ファン
５４  ボックス排気口
５５  ボックスファン
５６  枠体
５８  ボックス吸気口
５９  細孔
６０  フィルタ部材
６０ａ  底面
６２  フィルタ支持部材
６２ａ  開口部
６２ｂ  支持面
６２ｃ，６４ｃ  下端縁部
６４  カバー部材
６４ａ  カバー吸気口
６４ｂ  庇状部
６５  凹溝
６６  樋部材
Ａ１，Ａ２  空気
Ｄ  ダクト領域（空隙）
Ｗ１，Ｗ２  水
【図１】
2017044348.tif 000003
【図２】
2017044348.tif 000004
【図３】
2017044348.tif 000005
【図４】
2017044348.tif 000006
【図５】
2017044348.tif 000007
【図６】
2017044348.tif 000008
【図７】
2017044348.tif 000009
【図８】
2017044348.tif 000010
【図９】
2017044348.tif 000011
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
空気を吸入する筐体吸気口と空気を排出する筐体排気口とを有し、内部に発熱性機器を収容する筐体の防水構造であって、
前記機器の運転を制御する電装部品を収納した電装ボックスを、該電装ボックスの正面壁と前記筐体の内面との間に空隙を形成した状態で前記筐体内に設置し、
前記電装ボックスの正面壁と前記筐体の内面との間に設けられた前記空隙の周囲を囲む枠体を設け、
前記筐体吸気口を前記空隙に対して開口させることで、前記空隙を前記筐体吸気口から吸入した空気が流通するダクト領域として機能させると共に、該ダクト領域を流通する空気を前記電装ボックス内に吸入する孔部を前記電装ボックスの正面壁に設け、
前記筐体吸気口の内面には、フィルタ部材を支持するフィルタ支持部材が設けられ、
前記フィルタ支持部材における前記フィルタ部材の底面を支持する支持面から上方へ立ち上がった最下端縁部よりも、前記筐体吸気口の下端面が低位置にあることを特徴とする筐体の防水構造。
【請求項２】
請求項１記載の筐体の防水構造において、
前記筐体の内部には、圧縮機、凝縮器、膨張機構及び蒸発器を環状に接続し、前記蒸発器で外部熱源から熱を回収するヒートポンプ部と、前記凝縮器に被加熱水を供給し、該被加熱水を冷媒によって加熱し、気液分離器により蒸気を分離生成する蒸気生成部とが収容され、
前記発熱性機器は、少なくとも前記圧縮機のモータ及び前記蒸気生成部を含むことを特徴とする筐体の防水構造。
【請求項３】
請求項１又は２記載の筐体の防水構造において、
前記電装ボックスには、該電装ボックス内の空気を前記筐体内へ排出するボックスファンが備えられていることを特徴とする筐体の防水構造。
【請求項４】
請求項１〜３のいずれか１項に記載の筐体の防水構造において、
前記電装部品は、前記正面壁の裏面側に配置されていることを特徴とする筐体の防水構造。
【請求項５】
請求項１〜４のいずれか１項に記載の筐体の防水構造において、
前記フィルタ支持部材の下方には、前記枠体の外部へと延びた樋部材が設けられていることを特徴とする筐体の防水構造。
【請求項６】
圧縮機、凝縮器、膨張機構及び蒸発器を環状に接続し、前記蒸発器で外部熱源から熱を回収するヒートポンプ部と、
前記凝縮器に被加熱水を供給し、該被加熱水を冷媒によって加熱し、気液分離器により蒸気を分離生成する蒸気生成部と、
前記ヒートポンプ部及び前記蒸気生成部の運転を制御する電装部品を収納した電装ボックスと、
防水構造を有し、前記ヒートポンプ部、前記蒸気生成部及び前記電装ボックスを内部に収容する筐体と、
を備えたヒートポンプ式蒸気生成装置であって、
前記筐体は、空気を吸入する第１及び第２の筐体吸気口と、空気を排出する筐体排気口とを備え、
前記圧縮機及び前記凝縮器を、前記筐体の底面に設置し、
前記電装ボックスを、該電装ボックスの正面壁と前記筐体の内面との間に空隙を形成した状態で前記筐体内の前記圧縮機の上方に設置し、
前記第１の筐体吸気口を前記空隙に対して開口させることで、前記空隙を前記第１の筐体吸気口から吸入した空気が流通するダクト領域として機能させると共に、該ダクト領域を流通する空気を前記電装ボックス内に吸入する孔部を前記正面壁に設け、
前記第１の筐体吸気口の内面には、フィルタ部材を支持するフィルタ支持部材が設けられ、
前記フィルタ支持部材における前記フィルタ部材の底面を支持する支持面から上方へ立ち上がった最下端縁部よりも、前記第１の筐体吸気口の下端面が低位置にあり、
前記気液分離器及び前記蒸発器を、前記筐体内部の前記電装ボックスと対向する位置に設置し、
前記第２の筐体吸気口を、前記第１の筐体吸気口と反対側の下部に設け、
前記筐体排気口を、前記気液分離器及び前記蒸発器よりも上方に設け、
前記第１及び第２の筐体吸気口と前記筐体排気口との間で空気を流通させることで前記筐体の内部に収容した機器を冷却することを特徴とするヒートポンプ式蒸気生成装置。
【手続補正３】
【補正対象書類名】明細書
【補正対象項目名】０００１
【補正方法】変更
【補正の内容】
【０００１】
空気を吸入する吸気口にフィルタ部材を配設した筐体の筐体の防水構造及び該筐体の防水構造を備えたヒートポンプ式蒸気生成装置に関する。
【手続補正４】
【補正対象書類名】明細書
【補正対象項目名】０００６
【補正方法】変更
【補正の内容】
【０００６】
本発明は、上記従来技術の課題を考慮してなされたものであり、吸気口に配設したフィルタ部材から筐体内への浸水を防止することができる筐体の防水構造及び該筐体の防水構造を備えたヒートポンプ式蒸気生成装置を提供することを目的とする。
【手続補正５】
【補正対象書類名】明細書
【補正対象項目名】０００７
【補正方法】変更
【補正の内容】
【０００７】
本発明に係る筐体の防水構造は、空気を吸入する筐体吸気口と空気を排出する筐体排気口とを有し、内部に発熱性機器を収容する筐体の防水構造であって、前記機器の運転を制御する電装部品を収納した電装ボックスを、該電装ボックスの正面壁と前記筐体の内面との間に空隙を形成した状態で前記筐体内に設置し、前記電装ボックスの正面壁と前記筐体の内面との間に設けられた前記空隙の周囲を囲む枠体を設け、前記筐体吸気口を前記空隙に対して開口させることで、前記空隙を前記筐体吸気口から吸入した空気が流通するダクト領域として機能させると共に、該ダクト領域を流通する空気を前記電装ボックス内に吸入する孔部を前記電装ボックスの正面壁に設け、前記筐体吸気口の内面には、フィルタ部材を支持するフィルタ支持部材が設けられ、前記フィルタ支持部材における前記フィルタ部材の底面を支持する支持面から上方へ立ち上がった最下端縁部よりも、前記筐体吸気口の下端面が低位置にあることを特徴とする。
【手続補正６】
【補正対象書類名】明細書
【補正対象項目名】０００８
【補正方法】変更
【補正の内容】
【０００８】
また、本発明に係るヒートポンプ式蒸気生成装置は、圧縮機、凝縮器、膨張機構及び蒸発器を環状に接続し、前記蒸発器で外部熱源から熱を回収するヒートポンプ部と、前記凝縮器に被加熱水を供給し、該被加熱水を冷媒によって加熱し、気液分離器により蒸気を分離生成する蒸気生成部と、前記ヒートポンプ部及び前記蒸気生成部の運転を制御する電装部品を収納した電装ボックスと、防水構造を有し、前記ヒートポンプ部、前記蒸気生成部及び前記電装ボックスを内部に収容する筐体とを備えたヒートポンプ式蒸気生成装置であって、前記筐体は、空気を吸入する第１及び第２の筐体吸気口と、空気を排出する筐体排気口とを備え、前記圧縮機及び前記凝縮器を、前記筐体の底面に設置し、前記電装ボックスを、該電装ボックスの正面壁と前記筐体の内面との間に空隙を形成した状態で前記筐体内の前記圧縮機の上方に設置し、前記第１の筐体吸気口を前記空隙に対して開口させることで、前記空隙を前記第１の筐体吸気口から吸入した空気が流通するダクト領域として機能させると共に、該ダクト領域を流通する空気を前記電装ボックス内に吸入する孔部を前記正面壁に設け、前記第１の筐体吸気口の内面には、フィルタ部材を支持するフィルタ支持部材が設けられ、前記フィルタ支持部材における前記フィルタ部材の底面を支持する支持面から上方へ立ち上がった最下端縁部よりも、前記第１の筐体吸気口の下端面が低位置にあり、前記気液分離器及び前記蒸発器を、前記筐体内部の前記電装ボックスと対向する位置に設置し、前記第２の筐体吸気口を、前記第１の筐体吸気口と反対側の下部に設け、前記筐体排気口を、前記気液分離器及び前記蒸発器よりも上方に設け、前記第１及び第２の筐体吸気口と前記筐体排気口との間で空気を流通させることで前記筐体の内部に収容した機器を冷却することを特徴とする。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
空気を吸入する筐体吸気口と空気を排出する筐体排気口とを有し、内部に発熱性機器を収容する筐体の防水構造であって、
前記機器を制御する複数の電装部品を収納した電装ボックスを、該電装ボックスの正面壁と前記筐体の内面との間に空隙を形成した状態で前記筐体内に設置し、
前記電装ボックスの正面壁と前記筐体の内面との間に設けられた前記空隙の周囲を囲む枠体を設け、
前記筐体吸気口を前記空隙に対して開口させることで、前記空隙を前記筐体吸気口から吸入した空気が流通するダクト領域として機能させると共に、該ダクト領域を流通する空気を前記電装ボックス内に吸入する孔部を前記電装ボックスの正面壁の異なる高さ位置に複数設け、
前記複数の電装部品の一部は、前記正面壁の異なる高さ位置にある孔部に対向するか又は孔部の上部に位置するように前記正面壁の内面に固定され、
前記筐体吸気口の内面には、フィルタ部材を支持するフィルタ支持部材が設けられ、
前記フィルタ支持部材における前記フィルタ部材の底面を支持する支持面から上方へ立ち上がった最下端縁部よりも、前記筐体吸気口の下端面が低位置にあることを特徴とする筐体の防水構造。
【請求項２】
請求項１記載の筐体の防水構造において、
前記電装部品のうち、最も発熱量の大きい電装部品の少なくとも一部が、前記孔部に対向するように前記正面壁の内面に固定されることを特徴とする筐体の防水構造。
【請求項３】
請求項１又は２記載の筐体の防水構造において、
前記筐体の内部には、圧縮機、凝縮器、膨張機構及び蒸発器を環状に接続し、前記蒸発器で外部熱源から熱を回収するヒートポンプ部と、前記凝縮器に被加熱水を供給し、該被加熱水を冷媒によって加熱し、気液分離器により蒸気を分離生成する蒸気生成部とが収容され、
前記発熱性機器は、少なくとも前記圧縮機のモータ及び前記蒸気生成部を含むことを特徴とする筐体の防水構造。
【請求項４】
請求項１〜３のいずれか１項に記載の筐体の防水構造において、
前記電装ボックスには、該電装ボックス内の空気を前記筐体内へ排出するボックスファンが備えられていることを特徴とする筐体の防水構造。
【請求項５】
請求項１〜４のいずれか１項に記載の筐体の防水構造において、
前記フィルタ支持部材の下方には、前記枠体の外部へと延びた樋部材が設けられていることを特徴とする筐体の防水構造。
【請求項６】
圧縮機、凝縮器、膨張機構及び蒸発器を環状に接続し、前記蒸発器で外部熱源から熱を回収するヒートポンプ部と、
前記凝縮器に被加熱水を供給し、該被加熱水を冷媒によって加熱し、気液分離器により蒸気を分離生成する蒸気生成部と、
前記ヒートポンプ部及び前記蒸気生成部の運転を制御する電装部品を収納した電装ボックスと、
防水構造を有し、前記ヒートポンプ部、前記蒸気生成部及び前記電装ボックスを内部に収容する筐体と、
を備えたヒートポンプ式蒸気生成装置であって、
前記筐体は、空気を吸入する第１及び第２の筐体吸気口と、空気を排出する筐体排気口とを備え、
前記圧縮機及び前記凝縮器を、前記筐体の底面に設置し、
前記電装ボックスを、該電装ボックスの正面壁と前記筐体の内面との間に空隙を形成した状態で前記筐体内の前記圧縮機の上方に設置し、
前記第１の筐体吸気口を前記空隙に対して開口させることで、前記空隙を前記第１の筐体吸気口から吸入した空気が流通するダクト領域として機能させると共に、該ダクト領域を流通する空気を前記電装ボックス内に吸入する孔部を前記正面壁に設け、
前記第１の筐体吸気口の内面には、フィルタ部材を支持するフィルタ支持部材が設けられ、
前記フィルタ支持部材における前記フィルタ部材の底面を支持する支持面から上方へ立ち上がった最下端縁部よりも、前記第１の筐体吸気口の下端面が低位置にあり、
前記気液分離器及び前記蒸発器を、前記筐体内部の前記電装ボックスと対向する位置に設置し、
前記第２の筐体吸気口を、前記第１の筐体吸気口と反対側の下部に設け、
前記筐体排気口を、前記気液分離器及び前記蒸発器よりも上方に設け、
前記第１及び第２の筐体吸気口と前記筐体排気口との間で空気を流通させることで前記筐体の内部に収容した機器を冷却することを特徴とするヒートポンプ式蒸気生成装置。
【手続補正２】
【補正対象書類名】明細書
【補正対象項目名】０００７
【補正方法】変更
【補正の内容】
【０００７】
本発明に係る筐体の防水構造は、空気を吸入する筐体吸気口と空気を排出する筐体排気口とを有し、内部に発熱性機器を収容する筐体の防水構造であって、前記機器を制御する複数の電装部品を収納した電装ボックスを、該電装ボックスの正面壁と前記筐体の内面との間に空隙を形成した状態で前記筐体内に設置し、前記電装ボックスの正面壁と前記筐体の内面との間に設けられた前記空隙の周囲を囲む枠体を設け、前記筐体吸気口を前記空隙に対して開口させることで、前記空隙を前記筐体吸気口から吸入した空気が流通するダクト領域として機能させると共に、該ダクト領域を流通する空気を前記電装ボックス内に吸入する孔部を前記電装ボックスの正面壁の異なる高さ位置に複数設け、前記複数の電装部品の一部は、前記正面壁の異なる高さ位置にある孔部に対向するか又は孔部の上部に位置するように前記正面壁の内面に固定され、前記筐体吸気口の内面には、フィルタ部材を支持するフィルタ支持部材が設けられ、前記フィルタ支持部材における前記フィルタ部材の底面を支持する支持面から上方へ立ち上がった最下端縁部よりも、前記筐体吸気口の下端面が低位置にあることを特徴とする。